(57)【要約】【課題】室以外の居室を加湿することを可能とする浴室空気調和機を提供する。【解決手段】第１ダンパー２０と第２ダンパー２１を切り替えることにより、第１送風部５を動作させ、浴室吸気口３、加熱部２２、加湿部２３、浴室送風口４の順に空気を循環させる浴室循環風路６と、第２送風部１５を動作させ、居室吸気口１３、加熱部２２、加湿部２３、居室送風口１４の順に空気を循環させる居室循環風路１６とを切り替え、居室吸気口１３より吸い込んだ居室内の空気を、加湿部２３によって加湿し、居室送風口１４に送風することで居室１０内に加湿した空気を送風することを特徴とする。【選択図】図２
2018138828.tif 000002
【特許請求の範囲】
【請求項１】
浴室内の空気を吸い込む浴室吸気口と、
前記浴室内に空気を送り出す浴室送風口と、
前記浴室吸気口から吸気した空気を前記浴室送風口へ送風する第１送風部と、
居室内の空気を吸気する居室吸気口と、
居室１０に空気を送風する居室送風口と、
前記居室吸気口から吸気した空気を前記居室送風口へ送風する第２送風部と、
空気を加湿する加湿部と、
前記浴室吸気口から吸気した空気もしくは前記居室吸気口から吸気した空気のいずれか一方の空気を前記加湿部に送風切替する第１ダンパーと、
前記加湿部によって加湿された空気を前記浴室送風口もしくは居室送風口のいずれか一方に送風切替する第２ダンパーと、を備えた浴室空気調和機であって、
前記第１ダンパーと前記第２ダンパーとを切り替えることにより、
前記第１送風部を動作させ、前記浴室吸気口、前記加湿部、前記浴室送風口の順に空気を循環させる浴室循環風路と、
前記第２送風部を動作させ、前記居室吸気口、前記加湿部、居室送風口の順に空気を循環させる居室循環風路と、を切り替えることを特徴とする浴室空気調和機。
【請求項２】
前記第１ダンパーと前記加湿部の間に、空気を加熱する加熱部を備え、前記加熱部によって加熱された空気を、前記加湿部によって加湿することを特徴とする請求項１に記載の浴室空気調和機。
【請求項３】
居室内の温度を検出する温度検出センサーと、
居室内の湿度を検出する湿度検出センサーと、
前記温度検出センサーと前記湿度検出センサーと前記第１送風部と前記第２送風部とを制御する制御部を備え、
前記温度検出センサーによって検出した居室内の温度と前記湿度検出センサーによって検出した湿度とに基づいて、前記制御部が前記第２送風部の運転を制御することを特徴とする請求項１乃至２に記載の浴室空気調和機。
【請求項４】
前記湿度検出センサーによって検出された湿度が所定の閾値以下の場合、前記制御部は、第２送風部の運転を開始させることを特徴とする請求項３に記載の浴室空気調和機。
【発明の詳細な説明】
【技術分野】
【０００１】
本発明は、浴室以外の部屋の加湿に使用される浴室空気調和機に関するものである。
【背景技術】
【０００２】
従来の浴室空気調和機には、浴室内の空気を吸込み、吸込んだ空気を加熱および加湿し、再び浴室に戻すことで、浴室内を高温高湿なサウナ状態を作り出すものがある。その一例として、特許文献１に示す構成がある。以下、その構成について図３を参照しながら説明する。
【０００３】
図３は、従来の浴室空気調和機の構成を示す概略図である。図３に示すように、浴室空気調和機１０１内に、浴室内から空気を吸い込む吸込口１０２と、浴室内に空気を吹出す吹出口１０３と、空気搬送手段１０４を備えている。そして、空気を加熱する加熱手段１０５と、空気を加湿する加湿手段１０６を備えている。
【０００４】
次に、その動作について説明する。浴室内をサウナ状態にするサウナ運転時には、吸込口１０２より浴室内の空気を吸込み、吸込んだ空気が空気搬送手段１０４より加熱手段１０５および加湿手段１０６を通過させ、高温高湿な空気となる。高温高湿となった空気が吹出口１０３より再び浴室内に吹出す。このようにして浴室内を高温高湿なサウナ状態にする。
【先行技術文献】
【特許文献】
【０００５】
【特許文献１】特開２００８−２６７６９８号公報
【発明の概要】
【発明が解決しようとする課題】
【０００６】
しかしながら、上記の構成においては、浴室内のみをサウナ状態とするだけで、浴室以外の居室を加湿することができないという課題がある。
【０００７】
本発明は、このような従来の課題を解決するものであり、浴室以外の居室を加湿することを可能とする浴室空気調和機を提供する目的である。
【課題を解決するための手段】
【０００８】
そして、本発明の浴室空気調和機は、浴室内の空気を吸気する浴室吸気口と、前記浴室内に空気を送風する浴室送風口と、前記浴室吸気口から吸気した空気を前記浴室送風口へ送風する第１送風部と、居室内の空気を吸気する居室吸気口と、居室１０に空気を送風する居室送風口と、前記居室吸気口から吸気した空気を前記居室送風口へ送風する第２送風部と、空気を加湿する加湿部と、前記浴室吸気口から吸気した空気もしくは前記居室吸気口から吸気した空気のいずれか一方の空気を前記加湿部に送風切替する第１ダンパーと、前記加湿部によって加湿された空気を前記浴室送風口もしくは居室送風口のいずれか一方に送風切替する第２ダンパーと、を備えた浴室空気調和機であって、前記第１ダンパーと前記第２ダンパーとを切り替えることにより、前記第１送風部を動作させ、前記浴室吸気口、前記加湿部、前記浴室送風口の順に空気を循環させる浴室循環風路と、前記第２送風部を動作させ、前記居室吸気口、前記加湿部、居室送風口の順に空気を循環させる居室循環風路と、を切り替えることを特徴とする浴室空気調和機を提供することを目的とするものである。
【発明の効果】
【０００９】
上記構成により、浴室空気調和機の加湿部を活用し、浴室以外の居室を加湿することができ、居室内の湿度を適切な範囲に維持させることで快適な居住環境を提供することができる。
【図面の簡単な説明】
【００１０】
【図１】本実施形態における浴室空気調和機の設置例を示す概略断面図
【図２】同実施形態の本体を側方から見たときの内部構成を示す概略図
【図３】従来の構成を示す概略斜視図
【発明を実施するための形態】
【００１１】
以下、本発明の実施の形態を図面に基づいて説明する。ただし、以下に示す実施の形態は、本発明の技術思想を具体化するため例示するものであって、本発明を以下のものに特定しない。また、特許請求の範囲に示される部材を、実施例に記載する部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。また、本発明を構成する各要素は、複数の要素を同一の部材で構成して一つの部材で複数の要素を兼用する態様としてもよいし、一つの部材の機能を複数の部材で分担して実現することもできる。なお、一部の実施例、実施形態において説明された内容は、他の実施例、実施形態等に利用可能なものもある。
【００１２】
本発明の請求項１にかかる浴室空気調和機は、浴室内の空気を吸気する浴室吸気口と、前記浴室内に空気を送風する浴室送風口と、前記浴室吸気口から吸気した空気を前記浴室送風口へ送風する第１送風部と、居室内の空気を吸気する居室吸気口と、居室に空気を送風する居室送風口と、前記居室吸気口から吸気した空気を前記居室送風口へ送風する第２送風部と、空気を加湿する加湿部と、前記浴室吸気口から吸気した空気もしくは前記居室吸気口から吸気した空気のいずれか一方の空気を前記加湿部に送風切替する第１ダンパーと、前記加湿部によって加湿された空気を前記浴室送風口もしくは居室送風口のいずれか一方に送風切替する第２ダンパーと、を備えた浴室空気調和機であって、前記第１ダンパーと前記第２ダンパーとを切り替えることにより、前記第１送風部を動作させ、前記浴室吸気口、前記加湿部、前記浴室送風口の順に空気を循環させる浴室循環風路と、前記第２送風部を動作させ、前記居室吸気口、前記加湿部、居室送風口の順に空気を循環させる居室循環風路と、を切り替えることを特徴とするものである。
【００１３】
これにより、居室吸気口より吸い込んだ居室内の空気が、浴室空気調和機の加湿部によって加湿され、加湿された空気が第２送風部によって居室に送風されることにより、浴室空気調和機の加湿部を活用し、浴室以外の居室内に対しても加湿することができ、湿度を適切な範囲に維持させることで快適な居室環境を提供することができる。
【００１４】
また、前記第１ダンパーと前記加湿部の間に、空気を加熱する加熱部を備え、前記加熱部によって加熱された空気を、前記加湿部によって加湿する構成としてもよい。
【００１５】
この構成によって、居室吸気口より吸い込んだ居室内の空気を加湿部に通過させる前に、加熱部によって温めることにより、より多くの水分を含むことができるため、加湿の効率が高くなり、より短い時間で居室内の湿度を上昇させることができる。また、加熱部および加湿部によって調和された高温高湿な空気で居室を加湿することで、居室内の温度低下を防ぐことができ、より快適な居室環境を提供することができる。
【００１６】
また、居室内の温度を検出する温度検出センサーと、居室内の湿度を検出する湿度検出センサーと、前記温度検出センサーと前記湿度検出センサーと前記第１送風部と前記第２送風部とを制御する制御部を備え、前記温度検出センサーによって検出した居室内の温度と前記湿度検出センサーによって検出した湿度とに基づいて、前記制御装置が前記第２送風部の運転を制御する構成としてもよい。
【００１７】
この構成によって、制御部が居室内の温度と湿度の変化を検出しながら、必要量の加湿された空気を居室内に送風することで、居室内における加湿量不足による湿度低下や過加湿による快適性の低下を防ぐことができる。
【００１８】
また、前記湿度検出センサーによって検出された湿度が所定の閾値以下の場合、前記制御部は、第２送風部の運転を開始させる構成としてもよい。
【００１９】
この構成によって、居室の湿度が低湿度と検出された際に、自動に加湿運転を開始することができるため、より快適な居室環境を提供することができる。
【００２０】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００２１】
以下、本発明の実施の形態について図面を参照しながら説明する。
【００２２】
（実施の形態１）
図１は本発明の実施の形態における浴室空気調和機の設置例を示す概略図である。図１に示すように、浴室空気調和機の本体１は浴室２の天井裏に設置されている。設置された本体１の下面には浴室に対して開口した浴室吸気口３および浴室送風口４が設けられている。
【００２３】
本体１の側面の一面には、本体１内に浴室２から吸気した空気を屋外へ排気するための排気口２４が設けられている。排気口２４には、排気ダクト１９の一端が接続されており、排気ダクト１９の他端は、屋外に設けられた排気フード９に接続されている。また、本体１の側面の他の一面には、浴室２以外の居室１０内の空気を吸気するための居室吸気口１３と、居室吸気口１３から吸気した空気を再び居室１０に送風するための居室送風口１４が設けられている。居室吸気口１３には吸気ダクト１７の一端が接続されており、吸気ダクト１７の他端は居室１０に設けられ居室１０の空気を吸い込むための吸気口１１に接続されている。また、居室送風口１４には送風ダクト１８の一端が接続されており、送風ダクト１８の他端は、居室１０に設けられ空気を居室１０内へ吹出すため送風口１２に接続されている。
【００２４】
次に、本体１の構成について図２を用いて説明する。図２は、本発明の実施の形態の本体を側方から見たときの内部構成を示す概略図である。本体１には、第１送風部５と第２送風部１５とが設けられている。第１送風部５はシロッコファンであり、浴室吸気口３と、通過する空気を加熱する加熱部２２と、通過する空気を加湿する加湿部２３と、浴室送風口４との順に空気の循環させる浴室循環風路６を形成している。つまり、第１送風部５により、浴室２から吸気した空気に対して加熱部２２及び／又は加湿部２３によって調和した空気を浴室２内に送風する。なお、浴室循環風路６は、加熱部２２が動作せず、ただ単に風が通過する場合も含み、この場合には、第１送風部５を動作させ、浴室吸気口３、加湿部２３、浴室送風口４の順に空気を循環させることとなる。
【００２５】
また、第２送風部１５はシロッコファンであり、居室吸気口１３と、通過する空気を加熱する加熱部２２と、通過する空気を加湿する加湿部２３と、居室送風口１４との順に空気の循環させる居室循環風路１６を形成している。つまり、第２送風部１５により、居室１０から吸気した空気に対して加熱部２２及び／又は加湿部２３によって調和した空気を居室１０内に送風する。なお、居室循環風路１６は、加熱部２２が動作せず、ただ単に風が通過する場合も含み、この場合には、第２送風部１５を動作させ、居室吸気口１３、加湿部２３、居室送風口１４の順に空気を循環させることとなる。
【００２６】
なお、加熱部２２は、通過する空気を加熱できるものであればよく、例えば、自己温度制御性をもつＰＴＣヒータが安全性の観点から望ましいが、それ以外にも、電熱線を用いたニクロムヒータ、シーズヒータなどを用いることができる。
【００２７】
また、加湿部２３は、通過する空気を加湿できるものであればよく、例えば、水分を含んだフィルタに空気を通過させて加湿を行う気化式加湿器が消費エネルギー抑制の観点から望ましいが、それ以外にも、加熱して水蒸気を発生させて加湿する蒸気式加湿器、微細な水滴を生成し空気と混合させることで加湿する超音波式加湿器、水噴霧式加湿器、水破砕式加湿器などを用いることができる。なお、本実施の形態では、風路に対して加熱部２２、加湿部２３の順に設けているが、風路に対して加湿部２３、加熱部２２の順に設けてもよい。
【００２８】
また、加熱部２２の風路に対して上流には、浴室循環風路６又は居室循環風路１６のいずれかを通過させるように切り替える上流ダンパー２０（第１ダンパー）が設けられている。また、加湿部２３の風路に対して下流には、浴室循環風路６又は居室循環風路１６のいずれかを通過させるように切り替える下流ダンパー２１（第２ダンパー）が設けられている。なお、上流ダンパー２０及び下流ダンパー２１は、第１送風部５及び第２送風部１５と連携（同期）しながら動作を行う。
【００２９】
つまり、第１送風部５が動作する場合には、上流ダンパー２０及び下流ダンパー２１は、浴室循環風路６が加熱部２２及び加湿部２３を通過するように切替制御される。この場合、上流ダンパー２０は、浴室吸気口３から吸い込んだ空気を加熱部２２及び加湿部２３を通過するようにし、居室吸気口１３から吸い込む空気は加熱部２２及び加湿部２３を通過しないようにする。また、下流ダンパー２１は、加熱部２２及び加湿部２３を通過した空気を浴室送風口４に送風するようにし、居室送風口１４に送風しないようにする。
【００３０】
また、第２送風部１５が動作する場合には、上流ダンパー２０及び下流ダンパー２１は、居室循環風路１６が加熱部２２及び加湿部２３を通過するように切替制御される。この場合、上流ダンパー２０は、居室吸気口１３から吸い込んだ空気を加熱部２２及び加湿部２３を通過するようにし、浴室吸気口３から吸い込む空気は加熱部２２及び加湿部２３を通過しないようにする。また、下流ダンパー２１は、加熱部２２及び加湿部２３を通過した空気を居室送風口１４に送風するようにし、浴室送風口４に送風しないようにする。
【００３１】
また、居室循環風路１６上には、居室吸気口１３の近傍に設けた居室１０内の温度を検出する温度検出センサー３１と、居室吸気口１３の近傍に設けた居室１０内の湿度を検出する湿度検出センサー３２とを設けてもよい。この場合、第２送風部１５を運転させる際には、温度検出センサー３１及び湿度検出センサー３２により居室１０の温度及び湿度を検出し、その検出した温度及び湿度情報に基づいて、制御部３３により第２送風部１５の運転を制御する。
【００３２】
なお、本体１には、温度検出センサー３１、湿度検出センサー３２からの情報を受信し、第１送風部５、第２送風部１５、加熱部２２、加湿部２３の運転、停止を制御し、上流ダンパー２０及び下流ダンパー２１の切り替えを制御する制御手段が設けられている。制御手段は、浴室２外の脱衣所（図示しない）などの壁面に備え付けられた運転モードを入力するリモコン３４と、リモコン３４から入力された運転モードに基づき、第１送風部５、第２送風部１５、加熱部２２、加湿部２３、上流ダンパー２０及び下流ダンパー２１を制御する制御部３３とから構成されている。リモコン３４から入力された動作モードを示す情報を、有線で接続した制御部３３へ信号伝達する。制御部３３は、リモコン３４からの信号を元に動作モードを認識し、浴室空気調和機の各構成要素である第１送風部５、第２送風部１５、加熱部２２、加湿部２３、上流ダンパー２０、下流ダンパー２１の動作を制御する。
【００３３】
次に、リモコン３４から入力される動作モードについて説明する。動作モードは少なくとも、浴室２内を加温／加湿する浴室サウナ運転モードと、居室１０を加温／加湿する居室加湿運転モードとを備える。
【００３４】
リモコン３４から浴室サウナ運転モードでの動作が入力されると、制御部３３は、リモコン３４からの入力指示に基づき、浴室サウナ運転を行う。制御部３３は、第１送風部５を運転すると共に、上流ダンパー２０及び下流ダンパー２１で通風経路を切り替え、浴室循環風路６が加熱部２２及び加湿部２３を通過するように制御する。これにより、浴室サウナ運転モードにおいて、制御部３３は、浴室２内の温度および湿度を上昇させ、サウナ環境（浴室内温度約５０℃、浴室内湿度約１００％）を作り出す。
【００３５】
また、リモコン３４から居室加湿運転モードでの動作が入力されると、制御部３３は、リモコン３４からの入力指示に基づき、居室加湿運転を行う。制御部３３は、第２送風部１５を運転すると共に、上流ダンパー２０及び下流ダンパー２１で通風経路を切り替え、居室循環風路１６が加熱部２２及び加湿部２３を通過するように制御する。居室加湿運転モードの場合においては、制御部３３は、温度検出センサー３１および湿度検出センサー３２から受信した情報に基づいて、居室１０内の湿度が４０％から６０％の間に維持するよう、第２送風部、加熱部２２および加湿部２３の出力を制御する。つまり、居室１０内の湿度が４０％以下になると、制御部３３は、第２送風部、加熱部２２および加湿部２３の出力を上げ、居室１０内の湿度を上昇させる。居室１０内の湿度が目標湿度（例えば４０％以上）に到達した後、制御部３３は、第２送風部、加熱部２２および加湿部２３の出力を下げ、湿度を上昇し過ぎないように制御する。なお、加熱部２２と加湿部２３を同時に運転させることによって、居室１０内の温度低下を防げることができるが、居室１０内の快適性を損なわなければ、加熱部２２と加湿部２３を必ずしも同時に運転させる必要がない。
【００３６】
次に、本実施の形態１の効果を記載する。
【００３７】
居室１０内に設けられた吸気口１１より吸い込んだ居室１０の空気が、吸気ダクト１７を通風し、居室吸気口１３から加湿部２３に供給され加湿される。加湿された空気が第２送風部１５によって、居室送風口１４から送風され、送風ダクト１８を通風し、再び居室１０に送風される。これによって、浴室空気調和機の加湿部２３を活用し、浴室２以外の居室１０を加湿することができ、居室１０内の湿度を適切な範囲に維持でき、快適な環境を提供することができる。
【００３８】
また、居室１０の加湿運転を行う居室加湿運転モードでは、吸気口１１より吸い込んだ居室１０の空気を、加熱部２２によって温めてから加湿部２３を通過させ、より多くの水分を含ませることで、加湿の効率を高くすることができ、より短い時間で居室１０内の湿度を上昇させることができる。また、加熱部２２および加湿部２３によって調和された高温高湿な空気で居室１０を加湿することで、居室１０内の温度低下を防ぐことができ、より快適な居室環境を提供することができる。
【００３９】
また、制御部３３は、居室内の温度と湿度の変化を検出しながら、必要量の加湿された空気を居室１０内に送風することで、居室１０内における加湿量不足による湿度低下や過加湿による快適性の低下を防ぐことができる。
【００４０】
また、湿度検出センサー３２によって検出された湿度が所定の閾値以下（例えば４０％）の場合、制御部３３は、第２送風部の運転を開始させるため、居室１０内の湿度が低湿度と検出された際に、自動に加湿運転を開始することができ、より快適な居室環境を提供することができる。
【産業上の利用可能性】
【００４１】
本発明に係る浴室空気調和機は、浴室の空気調和とともに居室の加湿を行うことができるものであり、浴室用および居室用の換気加湿機器等として有用である。
【符号の説明】
【００４２】
１    本体
２    浴室
３    浴室吸気口
４    浴室送風口
５    第１送風部
６    浴室循環風路
９    排気フード
１０    居室
１１    吸気口
１２    送風口
１３    居室吸気口
１４    居室送風口
１５    第２送風部
１６    居室循環風路
１７    吸気ダクト
１８    送風ダクト
１９    排気ダクト
２０    上流ダンパー
２１    下流ダンパー
２２    加熱部
２３    加湿部
２４    排気口
３１    温度検出センサー
３２    湿度検出センサー
３３    制御部
３４    リモコン
【図１】
2018138828.tif 000003
【図２】
2018138828.tif 000004
【図３】
2018138828.tif 000005